(57)【要約】【課題】梯子を立てかけた後に、梯子に登ることなく装着ができるとともに、軒下の構造の違いにも広く適用できる梯子固定装置を提供すること。【解決手段】本発明の梯子固定装置は、挟持板２０は接続部２１を備え、接続部２１の両側にはそれぞれピン孔２３A、２３Ｂを有し、可動フレーム４０は、それぞれのピン孔２３A、２３Ｂに挿入する一対のピン４２を備え、一対のピン４２はセットつまみ４３を動作させることで突出し、ピン４２を突出させることでピン孔２３A、２３Ｂに挿入して挟持板２０を可動フレーム４０に取り付け、挟持板２０として、挟持幅の異なる複数の挟持板２０Ａ、２０Ｂを有し、いずれかの挟持板２０を可動フレーム４０に取り付けて用いることを特徴とする。【選択図】        図1
2013199824.tif 000002
【特許請求の範囲】
【請求項１】
軒先を上方から押し当てる受け板と、前記軒先を下方から押し当てる挟持板と、前記受け板を固定する固定フレームと、前記固定フレームに対して摺動するとともに前記挟持板を取り付ける可動フレームと、前記固定フレームに取り付けられてロープの位置を規制するロープ位置規制部と、前記可動フレームに取り付けられるロープ装着部と、前記ロープの移動方向を一方向とするロープロック部と、前記固定フレームと梯子とを接続する梯子接続部とを有し、
前記ロープ位置規制部及び前記ロープロック部に前記ロープを通し、前記ロープの一端を前記ロープ装着部に装着し、前記ロープの他端を引くことで前記可動フレームを前記固定フレームに対して移動させて前記挟持板を前記受け板に近接する方向に移動させる梯子固定装置であって、
前記挟持板は接続部を備え、前記接続部の両側にはそれぞれピン孔を有し、
前記可動フレームは、それぞれの前記ピン孔に挿入する一対のピンを備え、一対の前記ピンはセットつまみを動作させることで突出し、
前記ピンを突出させることで前記ピン孔に挿入して前記挟持板を前記可動フレームに取り付け、
前記挟持板として、挟持幅の異なる複数の前記挟持板を有し、
いずれかの前記挟持板を前記可動フレームに取り付けて用いることを特徴とする梯子固定装置。
【請求項２】
前記固定フレームを、短アームと長アームとからＬ字型に構成し、前記短アームの先端に前記受け板を固定し、前記可動フレームを前記長アームに沿って移動させ、前記短アームと前記長アームとの接合部に前記ロープ位置規制部を配置し、前記ロープ位置規制部によって前記ロープの方向を変更し、前記ロープ位置規制部よりも前記ロープの前記他端側に前記ロープロック部を配置し、前記ロープロック部としてカムクリートを用いたことを特徴とする請求項１に記載の梯子固定装置。
【請求項３】
前記固定フレームと前記梯子とを接続する梯子押さえ部材を備えたことを特徴とする請求項１又は請求項２に記載の梯子固定装置。
【請求項４】
前記梯子に取り付けるとともに、軒下を下方から押し当てる屋根押さえ部材を備えたことを特徴とする請求項１から請求項３のいずれかに記載の梯子固定装置。
【発明の詳細な説明】
【技術分野】
【０００１】
本発明は、梯子の横滑りを防止する梯子固定装置に関する。
【背景技術】
【０００２】
例えば、親綱を簡単に安定よく張設することができる親綱支持具が提案されている（特許文献１）。
特許文献１は、切り妻屋根の妻部下方に配置される下部アームの後端部に柱部の下端部を連結し、下部アームの上方に設けられた上部アームの後端部を柱部に沿って高さ調整自在に支持し、その上部アームを高さ調整位置で固定するロック手段を設け、上部アームの先端部に親綱連結用の連結部を設け、上部アームの先端部にねじ係合されてハンドル操作により上下動されるねじ軸の下端に下部アームとで妻部を上下から挾持する可動パッドを回動自在に連結したものである。
また、梯子を昇っている最中に梯子がしなったり横滑りする危険を防ぎつつ、横桟の足の踏み幅を広くとることのできる梯子安定具が提案されている（特許文献２）。
特許文献２は、梯子用側板の側方を覆う平面視コ字状のボディを、側板に着脱可能に設け、軒上にかける上アームの一端部をボディの側方外側に回転可能に軸止し、上アームの回転範囲を規制する上ストッパー片を有し、上ストッパー片によって上アームの回転範囲を、ボディの側方に沿わせた収納状態から後方に引き上げる引き上げ状態までの範囲に規制し、上ストッパー片とボディとの干渉具合を、収納状態ではボディの後面に上ストッパー片の前面を沿わせる具合にすると共に、引き上げ状態では上ストッパー片の一端面をボディの後面に突き当てる具合とし、上アームの引き上げ状態を保持する手段として、紐を上アームに固定したものである。
また、梯子を立て掛ける場所に応じて、屋根の軒端に固定することも、雨樋に固定することもできる梯子固定具が提案されている（特許文献３）。
【先行技術文献】
【特許文献】
【０００３】
【特許文献１】特開平１０−１５０９３号公報
【特許文献２】特開２００７−５６５９２号公報
【特許文献３】特開２００６−３０７４７５号公報
【発明の概要】
【発明が解決しようとする課題】
【０００４】
図９に木造家屋の軒先を示している。
軒下には、垂木などが配設され、軒下の構造は、それぞれの家屋によって異なる。
従って、軒先を利用して梯子固定装置を装着する構造では、これらの異なる軒先に適応する必要がある。
特許文献１から３では、特に異なる軒下の構造に適応するには十分でない。
また、梯子に登ってから梯子固定装置を装着する構造では、設置時の安全性に問題がある。
【０００５】
そこで本発明は、梯子を立てかけた後に、梯子に登ることなく装着ができるとともに、軒下の構造の違いにも広く適用できる梯子固定装置を提供することを目的とする。
【課題を解決するための手段】
【０００６】
請求項１記載の本発明の梯子固定装置は、軒先を上方から押し当てる受け板と、前記軒先を下方から押し当てる挟持板と、前記受け板を固定する固定フレームと、前記固定フレームに対して摺動するとともに前記挟持板を取り付ける可動フレームと、前記固定フレームに取り付けられてロープの位置を規制するロープ位置規制部と、前記可動フレームに取り付けられるロープ装着部と、前記ロープの移動方向を一方向とするロープロック部と、前記固定フレームと梯子とを接続する梯子接続部とを有し、前記ロープ位置規制部及び前記ロープロック部に前記ロープを通し、前記ロープの一端を前記ロープ装着部に装着し、前記ロープの他端を引くことで前記可動フレームを前記固定フレームに対して移動させて前記挟持板を前記受け板に近接する方向に移動させる梯子固定装置であって、前記挟持板は接続部を備え、前記接続部の両側にはそれぞれピン孔を有し、前記可動フレームは、それぞれの前記ピン孔に挿入する一対のピンを備え、一対の前記ピンはセットつまみを動作させることで突出し、前記ピンを突出させることで前記ピン孔に挿入して前記挟持板を前記可動フレームに取り付け、前記挟持板として、挟持幅の異なる複数の前記挟持板を有し、いずれかの前記挟持板を前記可動フレームに取り付けて用いることを特徴とする。
請求項２記載の本発明は、請求項１に記載の梯子固定装置において、前記固定フレームを、短アームと長アームとからＬ字型に構成し、前記短アームの先端に前記受け板を固定し、前記可動フレームを前記長アームに沿って移動させ、前記短アームと前記長アームとの接合部に前記ロープ位置規制部を配置し、前記ロープ位置規制部によって前記ロープの方向を変更し、前記ロープ位置規制部よりも前記ロープの前記他端側に前記ロープロック部を配置し、前記ロープロック部としてカムクリートを用いたことを特徴とする
請求項３記載の本発明は、請求項１又は請求項２に記載の梯子固定装置において、前記固定フレームと前記梯子とを接続する梯子押さえ部材を備えたことを特徴とする。
請求項４記載の本発明は、請求項１から請求項３のいずれかに記載の梯子固定装置において、前記梯子に取り付けるとともに、軒下を下方から押し当てる屋根押さえ部材を備えたことを特徴とする。
【発明の効果】
【０００７】
本発明によれば、梯子を立てかけた後に、梯子に登ることなく装着ができるとともに、例えば垂木間の幅の相違に対応させて最適な挟持板を選択的に用いることができ、軒下の構造の違いにも広く適用できる。
【図面の簡単な説明】
【０００８】
【図１】本発明の一実施例による梯子固定装置の斜視図
【図２】同梯子固定装置のロープロック部のロック状態を示す要部斜視図
【図３】同ロープロック部のロック解除状態を示す要部斜視図
【図４】同梯子固定装置の挟持板の取り付けを示す斜視図
【図５】同梯子固定装置を梯子に取り付けた状態を示す図
【図６】梯子を同梯子固定装置によって家屋の軒先に取り付けた状態を示す図
【図７】梯子押さえ部材を更に備えた梯子固定装置を用いて梯子を家屋の軒先に取り付けた状態を示す図
【図８】屋根押さえ部材を更に備えた梯子固定装置を用いて梯子を家屋の軒先に取り付けた状態を示す図
【図９】木造家屋の軒先を示す図
【発明を実施するための形態】
【０００９】
本発明の第１の実施の形態による梯子固定装置は、挟持板は接続部を備え、接続部の両側にはそれぞれピン孔を有し、可動フレームは、それぞれのピン孔に挿入する一対のピンを備え、一対のピンはセットつまみを動作させることで突出し、ピンを突出させることでピン孔に挿入して挟持板を可動フレームに取り付け、挟持板として、挟持幅の異なる複数の挟持板を有し、いずれかの挟持板を可動フレームに取り付けて用いるものである。本実施の形態によれば、例えば垂木間の幅の相違に対応させて最適な挟持板を選択的に用いることができ、また可動フレームへの挟持板の取り付け、取り外しはセットつまみの動作によって簡便にできる。
【００１０】
本発明の第２の実施の形態は、第１の実施の形態による梯子固定装置において、固定フレームを、短アームと長アームとからＬ字型に構成し、短アームの先端に受け板を固定し、可動フレームを長アームに沿って移動させ、短アームと長アームとの接合部にロープ位置規制部を配置し、ロープ位置規制部によってロープの方向を変更し、ロープ位置規制部よりもロープの他端側にロープロック部を配置し、ロープロック部としてカムクリートを用いたものである。本実施の形態によれば、高所に設置した状態で、下方からロープを引っ張ることで、カムクリートでのロープのロックと解除を行え、挟持板を操作できるとともに安全性が高い。
【００１１】
本発明の第３の実施の形態は、第１又は第２の実施の形態による梯子固定装置において、固定フレームと梯子とを接続する梯子押さえ部材を備えたものである。本実施の形態によれば、梯子押さえ部材を更に備えることで、梯子に対する梯子固定装置のぐらつきを無くすことができ、梯子に取り付けた梯子固定装置を家屋の軒先にスムーズに取り付けることができる。
【００１２】
本発明の第４の実施の形態は、第１から第３の実施の形態による梯子固定装置において、梯子に取り付けるとともに、軒下を下方から押し当てる屋根押さえ部材を備えたものである。本実施の形態によれば、梯子の横滑りを防止できるとともに梯子の家屋の軒先から離脱することを防止することができる。
【実施例】
【００１３】
以下に本発明の一実施例による梯子固定装置を図１から図４に示す。
図１は本発明の一実施例による梯子固定装置の斜視図、図２は同梯子固定装置のロープロック部のロック状態を示す要部斜視図、図３は同ロープロック部のロック解除状態を示す要部斜視図、図４は同梯子固定装置の挟持板の取り付けを示す斜視図である。
本実施例による梯子固定装置は、軒先を上方から押し当てる受け板１０と、軒先を下方から押し当てる挟持板２０と、受け板１０を固定する固定フレーム３０と、固定フレーム３０に対して摺動するとともに挟持板２０を取り付ける可動フレーム４０と、固定フレーム３０に取り付けられてロープ５０の位置を規制するロープ位置規制部６０と、可動フレーム４０に取り付けられるロープ装着部４１と、ロープ５０の移動方向を一方向とするロープロック部７０と、固定フレーム３０と梯子１００とを接続する梯子接続部８０とを有している。
【００１４】
受け板１０は、回動支点１１によって固定フレーム３０に対して回動可能に設けられている。
挟持板２０は接続部２１を備えており、この接続部２１で挟持板２０を可動フレーム４０に取り付けている。
固定フレーム３０は、一対の短アーム３１と一対の長アーム３２とから一対のＬ字型部材が構成されている。短アーム３１の先端には受け板１０を固定している。梯子接続部８０は、一方の短アーム３１の根元、すなわち短アーム３１の長アーム３２側に設けている。長アーム３２の先端には、一対の長アーム３２を連結するねじ部材３２ａを設けている。可動フレーム４０は、長アーム３２に沿って移動させることができ、ねじ部材３２ａによって長アーム３２から離脱しないようになっている。
短アーム３１と長アーム３２との接合部３３にロープ位置規制部６０を配置している。ロープロック部７０には、カムクリートを用いることができる。
短アーム３１の端部には、親綱引っかけ部９０が設けられている。この親綱引っかけ部９０には、安全帯などを引っかけることができる。
【００１５】
ロープ５０は、一端５１をロープ装着部４１に装着し、ロープ位置規制部６０及びロープロック部７０に通している。ロープ５０は、ロープ位置規制部６０によって方向が変更される。ロープロック部７０は、ロープ位置規制部６０よりもロープ５０の他端５２側に配置されている。
ロープ５０の他端５２を引くことで、可動フレーム４０を固定フレーム３０に対して移動させ、挟持板２０を受け板１０に近接する方向に移動させる。
梯子接続部８０には、締め付けねじ８１を設けている。
【００１６】
図１は、挟持板２０が受け板１０から離れた状態を示しており、図２及び図３は、挟持板２０が受け板１０に近接した状態を示している。
図２では、ロープ５０は、ロープロック部７０に挟まれた状態にあり、ロープ５０は、他端５２方向に引くことはできるが、ロープ５０の一端５１側への移動はロックされる。
図３では、ロープ５０は、ロープロック部７０から外された状態にあり、ロープ５０はいずれの方向にも引くことができる。
ロープ５０を図２の状態として、挟持板２０を受け板１０に近接する方向に移動させる。
挟持板２０を受け板１０から離れる方向に移動、すなわち、固定を解除する場合に、図３の状態とし、ロープ５０をゆるめることで挟持板２０は自重で下方に移動する。
【００１７】
図４に示すように、本実施例では、挟持板２０として、挟持幅の異なる複数の挟持板２０Ａ、２０Ｂを有している。挟持幅の異なる３つ以上の挟持板２０を備えてもよい。
接続部２１Ａ、２１Ｂの両側には、それぞれピン孔２３Ａ、２３Ｂを有している。
可動フレーム４０は、それぞれのピン孔２３Ａ、２３Ｂに挿入する一対のピン４２を備え、一対のピン４２はセットつまみ４３を動作させることで突出する。
ピン４２を突出させることでピン孔２３Ａ、２３Ｂに挿入して挟持板２０を可動フレーム４０に取り付ける。
なお、本実施例では、ピン孔２３Ａ、２３Ｂは両側に３段設けており、挟持板２０Ａ、２０Ｂの取り付け高さを調整可能としている。
本実施例では、複数の挟持板２０Ａ、２０Ｂを備え、いずれかの挟持板２０Ａ、２０Ｂを可動フレーム４０に取り付けて用いる構成を示したが、挟持板２０の挟持幅を可変とする構成でもよい。挟持板２０の挟持幅を可変とする構成としては、挟持板２０を折りたたみ可能とし、展開させて挟持幅を大きく、折りたたんで挟持幅を狭くすることができる。また、挟持板２０を幅方向に伸縮可能な構成としてもよい。
【００１８】
次に、本発明の一実施例による梯子固定装置の使用状態を説明する。
図５は、同梯子固定装置を梯子に取り付けた状態を示し、図６は梯子を同梯子固定装置によって家屋の軒先に取り付けた状態を示している。
図５に示すように、梯子接続部８０で固定フレーム３０と梯子１００の枠柱１１０とを接続する。枠柱１１０に梯子接続部８０を取り付け、締め付けねじ８１で固定する。
梯子固定装置は、梯子１００の上端から６０ｃｍ程度の位置に取り付ける。
梯子固定装置を取り付けた状態で梯子１００を家屋の軒先に立てかける。このとき、受け板１０は軒先の上方に、挟持板２０は軒下の下方に位置させる。
ロープ５０を引っ張ることで、挟持板２０は受け板１０側に引っ張り上げられ、軒下を下方から押圧する。受け板１０と挟持板２０とで軒を挟み込み、梯子１００の横滑りが防止される。
【００１９】
次に、本発明の他の実施例による梯子固定装置の使用状態を説明する。
図７は、梯子押さえ部材を更に備えた梯子固定装置を用いて梯子を家屋の軒先に取り付けた状態を示す図である。
図７では、梯子押さえ部材１２０を拡大図示するとともに、梯子押さえ部材１２０を梯子１００に取り付けた状態を示している。
【００２０】
梯子押さえ部材１２０は、固定フレーム３０と梯子１００とを接続する。梯子押さえ部材１２０の一端は、長アーム３２の先端のねじ部材３２ａにナット３２ｂによって取り付ける。梯子押さえ部材１２０の他端は、枠柱１１０に押さえねじ１２１によって取り付ける。
梯子押さえ部材１２０は、梯子接続部８０を取り付ける枠柱１１０に取り付ける。
梯子押さえ部材１２０は、梯子接続部８０で固定フレーム３０と梯子１００の枠柱１１０とを接続した後に、枠柱１１０に取り付ける。
梯子押さえ部材１２０とともに梯子固定装置を取り付けた状態で梯子１００を家屋の軒先に立てかける。
本実施例のように、梯子押さえ部材１２０を更に備えることで、梯子１００に対する梯子固定装置のぐらつきを無くすことができ、梯子１００に取り付けた梯子固定装置を家屋の軒先にスムーズに取り付けることができる。
【００２１】
次に、本発明の更に他の実施例による梯子固定装置の使用状態を説明する。
図８は、屋根押さえ部材を更に備えた梯子固定装置を用いて梯子を家屋の軒先に取り付けた状態を示す図である。
図８では、屋根押さえ部材１３０を拡大図示するとともに、屋根押さえ部材１３０を梯子１００に取り付けた状態を示している。
【００２２】
屋根押さえ部材１３０は、梯子１００に取り付けるとともに、軒下を下方から押し当てる。屋根押さえ部材１３０の一端は、自由端としており、軒下を下方から押し当てる。屋根押さえ部材１３０の他端は、Ｌ字状に形成されて枠柱１１０を挟み込むとともに押さえねじ１３１によって枠柱１１０に取り付ける。
屋根押さえ部材１３０は、梯子接続部８０を取り付ける一方の枠柱１１０とは別の他方の枠柱１１０に取り付ける。
屋根押さえ部材１３０は、梯子固定装置を取り付けた状態で梯子１００を家屋の軒先に立てかけた後に、Ｌ字状の他端で枠柱１１０を挟み込み、一端を軒下の下方に押し当てて押さえねじ１３１で締め付け固定する。
本実施例のように、屋根押さえ部材１３０を更に備えることで、梯子１００の横滑りを防止できるとともに梯子１００が家屋の軒先から離脱することを防止することができる。
なお、梯子押さえ部材１２０と屋根押さえ部材１３０とを別々の実施例で説明したが、梯子押さえ部材１２０とともに屋根押さえ部材１３０を備えることが好ましい。
【産業上の利用可能性】
【００２３】
本発明によれば、梯子の横滑りを防止でき、梯子の乗降や屋根上作業を安全に行うことができる。
【符号の説明】
【００２４】
１０  受け板
２０  挟持板
２３Ａ、２３Ｂ  ピン孔
３０  固定フレーム
４０  可動フレーム
４１  ロープ装着部
４２  ピン
４３  セットつまみ
５０  ロープ
５１  ロープの一端
５２  ロープの他端
６０  ロープ位置規制部
７０  ロープロック部
８０  梯子接続部
９０  親綱引っかけ部
１００  梯子
１２０  梯子押さえ部材
１３０  屋根押さえ部材
【図１】
2013199824.tif 000003
【図２】
2013199824.tif 000004
【図３】
2013199824.tif 000005
【図４】
2013199824.tif 000006
【図５】
2013199824.tif 000007
【図６】
2013199824.tif 000008
【図７】
2013199824.tif 000009
【図８】
2013199824.tif 000010
【図９】
2013199824.tif 000011